(57)【要約】  表示距離の異なる虚像を表示可能なヘッドアップディスプレイにおいて、視点の位置が変化した場合であっても虚像の視認性を確保する。  面上に第１の虚像Ｖ１を表示可能な仮想的な第１虚像表示面１００と、少なくとも一部が第１虚像表示面１００よりも視認者から離れた位置に第１虚像表示面１００よりも水平方向に傾き、面上に第２の虚像Ｖ２を表示可能な仮想的な第２の虚像表示面２００と、を生成し、視認者の視点位置３００に応じて、第１の虚像Ｖ１と第２の虚像Ｖ２とが重ならないように、第１の虚像Ｖ１または／および第２の虚像Ｖ２の表示を変化させる。
2017090464.tif 000002
【特許請求の範囲】
【請求項１】
面上に第１の虚像を表示可能な仮想的な第１虚像表示面と、
少なくとも一部が前記第１虚像表示面よりも視認者から離れた位置にあり、かつ前記第１虚像表示面よりも水平方向に傾いた面上に第２の虚像を表示可能な仮想的な第２の虚像表示面と、を生成するヘッドアップディスプレイにおいて、
視認者の視点位置に関する視点情報を取得する視点情報取得手段と、
前記視点情報取得手段が取得した前記視点情報に基づいて、前記第１の虚像と前記第２の虚像とが重ならないように、前記第１の虚像または／および前記第２の虚像の表示を変化させる表示制御部と、を備える、
ことを特徴とするヘッドアップディスプレイ。
【請求項２】
前記第１の虚像の基となる第１の画像を表示する第１画像表示部と、
前記第２の虚像の基となる第２の画像を表示する第２画像表示部と、を備え、
前記表示制御部は、前記第１の画像の表示位置もしくは／および大きさ、または前記第２の画像の表示位置もしくは／および大きさ、を前記第１の虚像と前記第２の虚像とが重ならないように変化させる、
ことを特徴とする請求項１に記載のヘッドアップディスプレイ。
【請求項３】
前記第１の虚像の基となる第１の画像を表示する第１画像表示部と、
前記第２の虚像の基となる第２の画像を表示する第２画像表示部と、を備え、
前記表示制御部は、前記第１画像表示部の位置、または前記第２画像表示部の位置、を前記第１の虚像と前記第２の虚像とが重ならないように変化させる、
ことを特徴とする請求項１に記載のヘッドアップディスプレイ。
【請求項４】
前記第１の虚像の基となる第１の画像を表示する第１画像表示部と、
前記第２の虚像の基となる第２の画像を表示する第２画像表示部と、前記第１画像表示部または前記第２画像表示部の一方から出射される前記画像に基づく光を透過し、他方から出射される前記画像に基づく光を反射する透過反射部と、
前記透過反射部を移動または／および回転させる駆動部と、を備え、
前記表示制御部は、前記駆動部を、前記第１の虚像と前記第２の虚像とが重ならないように制御する、
ことを特徴とする請求項１に記載のヘッドアップディスプレイ。
【請求項５】
前記第１虚像表示面と、前記第２の虚像表示面との間の角度調整可能な角度調整部を備え、
前記表示制御部は、前記角度調整部の角度調整量に応じて、前記第１の虚像と前記第２の虚像とが重ならないように変化させる調整量を補正する、
ことを特徴とする請求項１乃至４のいずれか一項に記載のヘッドアップディスプレイ。
【発明の詳細な説明】
【技術分野】
【０００１】
本発明は、虚像を表示可能な仮想的な虚像表示面を複数生成可能なヘッドアップディスプレイに関するものである。
【背景技術】
【０００２】
ヘッドアップディスプレイは、自車両前方の風景（実景）に重畳画像を重ねて表示することで、実景に情報などを付加したり、実景における特定の対象を強調したりする拡張現実（ＡＲ：Ａｕｇｍｅｎｔｅｄ  Ｒｅａｌｉｔｙ）を生成し、車両運転する視認者の視線移動を極力抑えつつ、所望の情報を的確に提供することで、安全で快適な車両運行に寄与するものである。【０００３】
例えば特許文献１は、２つの画像表示部を備え、これらの画像表示部に画像を表示することで、仮想的な２つの虚像表示面上に虚像をそれぞれ生成するヘッドアップディスプレイを開示し、このヘッドアップディスプレイは、第１、第２の画像表示部の表示面を視認者の視線軸に対して異なる角度でそれぞれ配置することで、第一、第二の画像表示部により生成される２つの虚像表示面の視認角度を異ならせている。具体的には、このヘッドアップディスプレイは、一方の虚像表示面を視認者の視線に対して概ね垂直となるように生成し、他方の虚像表示面をもう一方の虚像表示面より水平方向に傾いて生成する。すなわち、２つの虚像表示面は、平行ではなく、所定の角度を有する。このように２つの虚像表示面を所定の角度だけ傾けて生成することで、それぞれの虚像表示面に虚像を表示した場合、視認者は、前記虚像を立体的に認識することができる。
【先行技術文献】
【特許文献】
【０００４】
【特許文献１】特開２００８−２６８４８５号公報
【発明の概要】
【発明が解決しようとする課題】
【０００５】
しかしながら、特許文献１に開示されるヘッドアップディスプレイでは、視認者の視点の高さが変化した場合、視認者の手前側に視認される一方の虚像表示面上の虚像と、視認者の奥側に視認される他方の虚像表示面上の虚像と、が重なってしまい、虚像の視認性を低下させてしまうおそれがあった。【０００６】
本発明の１つの目的は、表示距離の異なる虚像を表示可能なヘッドアップディスプレイにおいて、視点の位置が変化した場合であっても虚像の視認性を確保することができるヘッドアップディスプレイを提供することである。
【課題を解決するための手段】
【０００７】
本発明は、前記課題を解決するため、以下の手段を採用した。
本発明のヘッドアップディスプレイは、面上に第１の虚像を表示可能な仮想的な第１虚像表示面と、少なくとも一部が前記第１虚像表示面よりも視認者から離れた位置に前記第１虚像表示面よりも水平方向に傾き、面上に第２の虚像を表示可能な仮想的な第２の虚像表示面と、を生成するヘッドアップディスプレイにおいて、視認者の視点位置を入力し、視点位置に応じて、前記第１の虚像と前記第２の虚像とが重ならないように、前記第１の虚像または／および前記第２の虚像の表示を変化させることで、視点の位置が変化した場合であっても第１の虚像と第２の虚像の視認性を確保する、ことをその要旨とする。【０００８】
本発明におけるヘッドアップディスプレイは、面上に第１の虚像を表示可能な仮想的な第１虚像表示面と、少なくとも一部が前記第１虚像表示面よりも視認者から離れた位置にあり、かつ前記第１虚像表示面よりも水平方向に傾いた面上に第２の虚像を表示可能な仮想的な第２の虚像表示面と、を生成するヘッドアップディスプレイにおいて、視認者の視点位置に関する視点情報を取得する視点情報取得手段と、前記視点情報取得手段が取得した前記視点情報に基づいて、前記第１の虚像と前記第２の虚像とが重ならないように、前記第１の虚像または／および前記第２の虚像の表示を変化させる表示制御部と、を備えるものである。
【発明の効果】
【０００９】
表示距離の異なる虚像を表示可能なヘッドアップディスプレイにおいて、視点の位置が変化した場合であっても虚像の視認性を確保することができる。
【図面の簡単な説明】
【００１０】
【図１】本発明の実施形態のヘッドアップディスプレイで生成される第１虚像表示面と第２虚像表示面とを示す図であり、第２虚像表示面上の重畳領域を説明する図である。
【図２】上記実施形態のヘッドアップディスプレイで生成される第１虚像表示面と第２虚像表示面とを示す図であり、第１虚像表示面上の重畳領域を説明する図である。
【図３】上記実施形態のヘッドアップディスプレイの構成の例を示す概略図である。
【図４】上記実施形態のヘッドアップディスプレイの電気的な構成を示す図である。
【図５】図３に示されるヘッドアップディスプレイの動作を説明するフローチャートである。
【図６】本発明の変形例のヘッドアップディスプレイで生成される第１虚像表示面と第２虚像表示面とを示す図であり、第２虚像表示面上の重畳領域を説明する図である。
【図７】本発明の変形例のヘッドアップディスプレイで生成される第１虚像表示面と第２虚像表示面とを示す図であり、第１虚像表示面上の重畳領域を説明する図である。
【図８】運転席から車両の前方を向いた場合の景色と図３に示されるヘッドアップディスプレイが表示する虚像とが視認される様子の例を示す図である。
【発明を実施するための形態】
【００１１】
以下に説明する実施形態は、本発明を容易に理解するために用いられ、当業者は、本発明が以下に説明される実施形態によって不当に限定されないことを留意すべきである。
【００１２】
本発明のＨＵＤ１は、図１，２に示されるように、面上に第１の虚像Ｖ１を表示可能な仮想的な第１虚像表示面１００と、第１虚像表示面１００よりも視認者から離れた位置にあり、かつ第１虚像表示面１００よりも水平方向に傾いた面上に第２の虚像Ｖ２を表示可能な仮想的な第２虚像表示面２００と、を生成する。
【００１３】
本実施形態のヘッドアップディスプレイ（以下、ＨＵＤと記載）１の概略図である図３を参照して、本実施形態のＨＵＤの構成を説明する。
【００１４】
本実施形態のＨＵＤ１は、図３（ａ）に示すように、図示しない第１の画像を表示する第１画像表示部１０と、図示しない第２の画像を表示する第２画像表示部２０と、第１画像表示部１０が表示する前記第１の画像の表示光Ｌ１及び第２画像表示部２０が表示する前記第２の画像の表示光Ｌ２をＨＵＤ１の外部に向けて投射する投射部３０と、後述する表示制御部５０と、から主に構成される。第１画像表示部１０の表示面は、後述する第１虚像表示面１００に対応し、第１画像表示部１０上に表示される前記第１の画像が、第１虚像表示面１００上で第１の虚像Ｖ１として視認される。また、第２画像表示部２０の表示面は、後述する第２虚像表示面２００に対応し、第２画像表示部２０上に表示される前記第２の画像が、第２虚像表示面２００上で第２の虚像Ｖ２として視認される。なお、本来、第１画像表示部１０や第２画像表示部２０からは画像に基づく表示光が無数に出射されるものであるが、本実施形態の説明に用いる図面では、第１画像表示部１０から視認者に向かう表示光の光束の光軸のみを第１表示光Ｌ１として図示し、第２画像表示部２０から視認者に向かう表示光の光束の光軸のみを第２表示光Ｌ２として図示することとする。
【００１５】
第１画像表示部１０及び第２画像表示部２０は、例えば、ＤＭＤやＬＣｏＳなどの反射型表示デバイスを用いた表示装置などから構成される。第１画像表示部１０から視認者へ向かう第１表示光Ｌ１の光路長が、第２画像表示部２０から視認者へ向かう第２表示光Ｌ２の光路長よりも短くなるように、第１画像表示部１０の表示面は、第２画像表示部２０の表示面よりも投射部３０側に配置される。これにより、第１画像表示部１０に対応する第１虚像表示面１００は、第２画像表示部２０に対応する第２虚像表示面２００よりも視認者に近い位置に生成される。また、ＨＵＤ１内における第１画像表示部１０及び第２画像表示部２０の設置角度により、第１虚像表示面１００及び第２虚像表示面２００が生成される角度が異なる。本実施形態のＨＵＤ１は、第２虚像表示面２００を、第１虚像表示面１００よりも水平方向に傾けて生成し、具体的に例えば、第１虚像表示面１００を、水平方向に対して垂直となるように生成し、第２画像表示部２０を、水平方向から約１０度傾けて生成する。
【００１６】
なお、上記実施形態以外にも、第１虚像表示面１００と第２虚像表示面２００とを生成するＨＵＤ１は、図３（ｂ）に示すように、上述の第１画像表示部１０と、第２画像表示部２０と、投射部３０と、に加えて、画像合成部４０を有する構成であってもよい。図３（ｂ）に示される画像合成部４０は、ハーフミラーやダイクロイックミラーからなり、第１画像表示部１０からの第１表示光Ｌ１を透過し、第２画像表示部２０からの第２表示光Ｌ２を反射することで、第１表示光Ｌ１，第２表示光Ｌ２を視認者側へ向ける。これにより、図３（ｂ）のＨＵＤ１によっても、上述したような第１虚像表示面１００と第２虚像表示面２００とを生成することができる。面上に第１の虚像Ｖ１を表示可能な仮想的な第１虚像表示面１００と、第１虚像表示面１００よりも視認者から離れた位置にあり、かつ第１虚像表示面１００よりも水平方向に傾いた面上に第２の虚像Ｖ２を表示可能な仮想的な第２虚像表示面２００と、を生成するＨＵＤ１の構成については、図３（ａ），（ｂ）で示されるものに限定されず、複数の虚像表示面を生成可能なＨＵＤの構成を適用してもよい。
【００１７】
図１は、各視点の位置３００（３００ａ，３００ｂ）から見た際の、第２虚像表示面２００における第１虚像表示面１００と重なる領域である重畳領域２１０（２１０ａ，２１０ｂ）を示した図である。図１の位置３００ａから放射状に延びる２本の点線は、一方の点線が位置３００ａから第１虚像表示面１００の上端１００ｕに向けた視線を示したものであり、他方の点線が位置３００ａから第１虚像表示面１００の下端１００ｄに向けた視線を示したものである。すなわち、図１に示された視点の位置３００ａから放射状に延びる２本の点線の間の第２虚像表示面２００上の領域２１０ａは、第１虚像表示面１００と重なって視認される重畳領域２１０を示す。なお、位置３００ａより低い視点の位置３００ｂから視認した場合、第２虚像表示面２００における第１虚像表示面１００と重なる重畳領域２１０は、図１の領域２１０ｂで示すように、高い視点の位置３００ａから視認した場合の領域２１０ａより広くなる。
【００１８】
また、図２は、各視点の位置３００（３００ａ，３００ｂ）から見た際の、第１虚像表示面１００における第２虚像表示面２００と重なる領域である重畳領域１１０（１１０ａ，１１０ｂ）を示した図である。図２の位置３００ａから放射状に延びる２本の点線は、一方の点線が位置３００ａから第２虚像表示面２００の上端２００ｕに向けた視線を示したものであり、他方の点線が位置３００ａから第２虚像表示面２００の下端２００ｄに向けた視線を示したものである。すなわち、図２に示された視点の位置３００ａから放射状に延びる２本の点線の間の第１虚像表示面１００上の領域１１０ａは、第２虚像表示面２００と重なって視認される重畳領域１１０を示す。なお、位置３００ａより低い視点の位置３００ｂから視認した場合、第１虚像表示面１００における第２虚像表示面２００と重なる重畳領域２１０は、図２の領域１１０ｂで示すように、高い視点の位置３００ａから視認した場合の領域１１０ａより広くなる。
【００１９】
本発明のＨＵＤ１は、視点の位置３００により変化する第１虚像表示面１００上の重畳領域１１０及び第２虚像表示面２００上の重畳領域２１０に応じて、第１虚像表示面１００上に表示される第１の虚像Ｖ１と第２虚像表示面２００上に表示される第２の虚像Ｖ２とが重ならないように制御される。以下にＨＵＤ１の制御系について、図４，図５を用いて説明する。図４は、ＨＵＤ１の電気的構成を示すブロック図であり、図５は、ＨＵＤ１の動作を示すフローチャートである。
【００２０】
表示制御部５０は、例えば、処理部５１、記憶部５２及びインターフェース５３を含む。処理部５１は、例えばＣＰＵやＲＡＭで構成され、記憶部５２は、例えばＲＯＭで構成され、インターフェース５３は、ネットワーク２に接続される入出力通信インターフェースで構成される。例えば、インターフェース５３は、ネットワーク２を介して車両情報や視認者の視点位置３００に関する視点情報Ｇ等を取得することができ、記憶部５２は、入力した車両情報等に基づいて画像データＤを生成するためのデータ、及び入力した視点情報Ｇに基づいて画像データＤを補正するまたは／および後述する駆動部６０を駆動させる駆動データＴを生成するためのデータを記憶することができ、処理部５１は、記憶部５２からのデータを読み取り、所定の動作を実行することで画像データＤまたは／及び駆動データＴを生成することができる。なお、インターフェース５３は、例えば、ネットワーク２を介して視点検出部３から視認者の視点位置３００に関する情報を含む視点情報Ｇを取得することができ、本発明の請求項に記載の視点情報取得手段としての機能も有する。なお、表示制御部５０は、ＨＵＤ１００の内部にあってもよく、その一部または全部の機能がＨＵＤ１００の外側の車両側に設けられてもよい。
【００２１】
図５は、本実施形態のＨＵＤ１００の動作の例を示すフローチャートである。ＨＵＤ１００は、例えば、車両１が起動されたとき、又は、車両１の電子機器に電力が供給されたとき、又は、車両１の起動または車両１の電子機器の電力供給から所定時間経過したときに以下に説明する処理を開始する。
【００２２】
まず、ステップＳ１において、表示制御部５０は、インターフェース５３を介して視認者の視点の位置３００に関する情報を含む視点情報Ｇを入力する。
【００２３】
次に、ステップＳ２において、表示制御部５０は、ステップＳ１で入力された視点の位置３００から視認した場合、第１虚像表示面１００と第２虚像表示面２００とが重なる領域（重畳領域１１０、重畳領域２１０）が有るかを判定する。表示制御部５０は、第１虚像表示面１００と第２虚像表示面２００とが重なる領域が有ると判定した場合（ステップＳ２でＹＥＳ）、ステップＳ３に移行し、第１の虚像Ｖ１と第２の虚像Ｖ２とが重なって視認されないようにステップＳ３以降の処理を実行する。また、表示制御部５０は、第１虚像表示面１００と第２虚像表示面２００とが重なる領域がないと判定した場合（ステップＳ２でＮＯ）、処理を終了する。なお、図５に示されるフローチャートの処理が終了した場合であっても、ステップＳ１からの処理を、ＨＵＤ１への電源が遮断されるまで、連続的または断続的に繰り返し実行する。
【００２４】
ステップＳ３において、表示制御部５０は、第１虚像表示面１００上の第２虚像表示面２００と重なる重畳領域１１０に表示される第１の虚像Ｖ１と、第２虚像表示面２００上の第１虚像表示面１００と重なる重畳領域２１０に表示される第２の虚像Ｖ２と、の優先度を判定（比較）する。これら優先度の判定については、表示制御部５０は、記憶部５２に予めテーブルデータとして保持しておいてもよく、その都度、リスクポテンシャルや運行状況に基づく表示の必要性などの観点から総合的に判断してもよい。なお、優先度が高い画像は、例えば、目的地までの経路を車線に重畳させて表示することで、経路誘導する案内経路画像や、車線の白線（区画線）に重畳させて表示することで、車線逸脱の注意を促す白線認識画像、前方車両に追従するように自車両の速度を制御するアダクティブクルーズコントロール（ＡＣＣ；Adaptive  Cruise  Control）を使用する際に、前方車両として認識させる車両に重畳して表示させることで、追従する前方車両を認識させる車間距離画像などがある。また、優先度が低い画像は、例えば、エンジン回転数や走行距離などの車両情報画像、自車両の故障を示す警告画像、車線とは重畳しない経路案内画像などがある。
【００２５】
ステップＳ３で判定された第１の虚像Ｖ１と第２の虚像Ｖ２とにおける優先度に従い、表示制御部５０は、ステップＳ４又はステップＳ５に移行する。
表示制御部５０は、第２の虚像Ｖ２の優先度が第１の虚像Ｖ１よりも高いと判定した場合、ステップＳ４に移行し、第１虚像表示面１００の重畳領域１１０に表示された第１の虚像Ｖ１が、重畳領域１１０に表示されないように第１画像表示部１０における表示を変化させる。具体的には、表示制御部５０は、第１画像表示部１０上の対象となる前記第１の画像の表示位置もしくは／および大きさを変化させる、または第１画像表示部１０上の対象となる前記第１の画像を非表示とする。
また、表示制御部５０は、第１の虚像Ｖ１の優先度が第２の虚像Ｖ２よりも高いと判定した場合、ステップＳ５に移行し、第２虚像表示面２００の重畳領域２１０に表示された第２の虚像Ｖ２が、重畳領域２１０に表示されないように第２画像表示部２０における表示を変化させる。具体的には、表示制御部５０は、第２画像表示部２０上の対象となる前記第２の画像の表示位置もしくは／および大きさを変化させる、または第２画像表示部２０上の対象となる前記第２の画像を非表示とする。以上に説明したように、視認者の視点の位置３００を検出し、検出した視点の位置３００から視認した際、第１の虚像Ｖ１と第２の虚像Ｖ２の重なりを推測し、重なって視認される第１の虚像Ｖ１あるいは第２の虚像Ｖ２のいずれか、または第１の虚像Ｖ１及び第２の虚像Ｖ２の双方の表示を調整することで、視点の位置３００が変化した場合であっても第１の虚像Ｖ１，第２の虚像Ｖ２双方の視認性を確保することができる。
【００２６】
（変形例）
これより、本発明の実施形態の変形例を説明する。
上記実施形態における第１画像表示部１０及び第２画像表示部２０は、反射型の表示デバイスを用いた表示装置により構成されていたが、レーザー光線を走査することで画像を生成するレーザー走査型の表示装置や、液晶表示素子などを用いた透過型表示装置や、有機ＥＬ素子を用いた自発光型表示装置などで構成されていてもよい。
【００２７】
また、上記実施形態における第１虚像表示面１００及び第２虚像表示面２００は、平面であったが、曲面であってもよい。また、虚像表示面は、３個以上生成されてもよい。
【００２８】
また、上記実施形態では、第２虚像表示面２００の全体が第１虚像表示面１００よりも視認者から離れた位置に設けられていたが、第２虚像表示面２００の一部が第１虚像表示面１００よりも視認者から離れた位置に設けられ、それ以外の領域が第１虚像表示面１００よりも視認者側の位置に延在していてもよい。
【００２９】
また、上記実施形態では、図４のステップＳ３に示されるように、第１虚像表示面１００と第２虚像表示面２００との重なる領域が有る場合、第１の虚像Ｖ１，第２の虚像Ｖ２の表示調整の処理（図４のステップＳ３からステップＳ５の処理）を実行していたが、所定の条件を満たした場合に上記表示調整の処理を実行するようにしてもよい。所定の条件とは、具体的に例えば、第１虚像表示面１００と第２虚像表示面２００との重なる領域が、所定の広さ以上であること、または第１虚像表示面１００と第２虚像表示面２００とが重なった時間が所定の期間以上継続したこと、予め設定された特定の内容の第１の虚像Ｖ１と第２の虚像Ｖ２とが重なること、などであってもよい。
【００３０】
また、上記実施形態では、図４のステップＳ３に示されるように、第１の虚像Ｖ１と第２の虚像Ｖ２とにおける優先度を判定していたが、予め第１画像表示部１０または第２画像表示部２０のどちらの表示を変更するかを設定しておき、前記優先度の判定処理を省略してもよい。
【００３１】
また、上記実施形態では、図４のステップＳ４，Ｓ５に示される処理において、表示制御部５０は、第１画像表示部１０（第２画像表示部２０）上の対象となる前記第１の画像（前記第２の画像）の表示位置もしくは／および大きさを変化させる、または第１画像表示部１０（第２画像表示部２０）上の対象となる前記第１の画像（前記第２の画像）を非表示とすることで、優先度の低い虚像Ｖが他の虚像Ｖに重ならないようにしていたが、これ以外の方法で、第１虚像表示面１００上に視認される第１の虚像Ｖ１と第２虚像表示面２００上に視認される第２の虚像Ｖ２とが重なって視認されないようにしてもよい。具体的には、駆動部６０により、ＨＵＤ１における第１画像表示部１０の位置または第２画像表示部２０の位置を変化させてもよい。また、図３（ｂ）に示されるような画像合成部４０を用いたＨＵＤ１では、駆動部６０を駆動させて、画像合成部４０を移動または／および回転させることで、第１虚像表示面１００の位置に対する第２虚像表示面２００の相対的な位置を移動させてもよい。
【００３２】
また、ＨＵＤ１は、ＨＵＤ１内における第１画像表示部１０または／および第２画像表示部２０の配設される角度を調整可能な角度調整部（図示しない）を設け、前記角度調整部の駆動に基づき、第１画像表示部１０と第２画像表示部２０との相対的な角度を調整することで、第１虚像表示面１００と第２虚像表示面２００との間の角度を調整してもよい。これにより、第１虚像表示面１００と第２虚像表示面２００との間の角度が可変となり、より趣向を凝らした立体表現が可能となる。このような構成の場合、表示制御部５０は、前記角度調整部の角度調整量に応じて、前記第１の虚像と前記第２の虚像とが重ならないように変化させる調整量を補正する。
【００３３】
また、上記実施形態では、第１虚像表示面１００と第２虚像表示面２００とが視認者の視点の位置３００から視認した際に重なる領域を、第１虚像表示面１００の重畳領域１１０，第２虚像表示面２００の重畳領域２１０と判定し、これら重畳領域１１０，重畳領域２１０の領域に第１の虚像Ｖ１または／および第２の虚像Ｖ２を表示させないように制御していが、第１虚像表示面１００上の重畳領域１１０及び第２虚像表示面２００上の重畳領域２１０の判定の仕方はこれらに限られない。
【００３４】
図６は、各視点の位置３００（３００ａ，３００ｂ）から見た際の、第２虚像表示面２００における第１虚像表示面１００上の第１の虚像Ｖ１と重なる領域である重畳領域２１０（２１０ａ，２１０ｂ）を示した図である。図６の位置３００ａから放射状に延びる２本の点線は、一方の点線が位置３００ａから第１虚像表示面１００上に表示された第１の虚像Ｖ１の上端Ｖ１ｕに向けた視線を示したものであり、他方の点線が位置３００ａから第１虚像表示面１００上に表示された第１の虚像Ｖ１の下端Ｖ１ｄに向けた視線を示したものである。すなわち、図６に示された視点の位置３００ａから放射状に延びる２本の点線の間の第２虚像表示面２００上の領域２１０ａは、第１虚像表示面１００上に表示される第１の虚像Ｖ１と重なって視認される重畳領域２１０を示す。表示制御部５０は、図６に示すように、第１虚像表示面１００上の第１の虚像Ｖ１と重なる第２虚像表示面２００の領域を重畳領域２１０と判定してもよい。
【００３５】
また、図７は、各視点の位置３００（３００ａ，３００ｂ）から見た際の、第１虚像表示面１００における第２虚像表示面２００上の第２の虚像Ｖ２と重なる領域である重畳領域１１０（１１０ａ，１１０ｂ）を示した図である。図７の位置３００ａから放射状に延びる２本の点線は、一方の点線が位置３００ａから第２虚像表示面２００上に表示された第２の虚像Ｖ２の上端Ｖ２ｕに向けた視線を示したものであり、他方の点線が位置３００ａから第２虚像表示面２００上に表示された第２の虚像Ｖ２の下端Ｖ２ｄに向けた視線を示したものである。すなわち、図７に示された視点の位置３００ａから放射状に延びる２本の点線の間の第１虚像表示面１００上の領域１１０ａは、第２虚像表示面２００上に表示される第２の虚像Ｖ２と重なって視認される重畳領域２１０を示す。表示制御部５０は、図７に示すように、第２虚像表示面２００上の第２の虚像Ｖ２と重なる第１虚像表示面１００の領域を重畳領域１１０と判定してもよい。
【００３６】
また、表示制御部５０は、第１の虚像Ｖ１と第２の虚像Ｖ２とが重なって視認されないように、第１画像表示部１０（第２画像表示部２０）上の対象となる前記第１の画像（前記第２の画像）の表示位置または大きさを変化させる際、前記第１の画像（前記第２の画像）の表示態様を変化させてもよい。すなわち、表示制御部５０は、第１の虚像Ｖ１（第２の虚像Ｖ２）の表示位置または大きさを変化させる際に、第１の虚像Ｖ１（第２の虚像Ｖ２）の表示態様を変化させてもよい。これについて、図８を用いて説明する。図８は、前方を向いた際に視認者が視認する際の景色を示す図であり、前方車両Ｗの注意を促す第２の虚像Ｖ２の表示態様の変化を説明する図である。図８（ａ）は、前方車両Ｗの下方に視認される線状の第２の虚像Ｖ２を表示した例を示している。本実施形態の表示制御部５０は、図８（ａ）に示された状態から前方車両Ｗが接近した場合、前方車両Ｗの下方に表示されていた第２の虚像Ｖ２を、図８（ｂ）に示されるように、第２虚像表示面２００上の第１虚像表示面１００と重なる重畳領域２１０外に表示位置を移動させ、さらに第２の虚像Ｖ２の表示態様（形状）も前方車両Ｗの位置を示す線状から前方車両Ｗを指示する矢印状へと変化させる。上述した第１の虚像Ｖ１（第２の虚像Ｖ２）の表示態様の変化とは、具体的に例えば、形状変化、表示色の変化、図形情報から文字情報に変化するなどの情報形式の変化、動画から静止画に変化するなど表現形式の変化なども含む。
【産業上の利用可能性】
【００３７】
本発明は、虚像を生成するヘッドアップディスプレイに適用可能であり、特に車両に搭載するヘッドアップディスプレイに好適である
【符号の説明】
【００３８】
１…ＨＵＤ（ヘッドアップディスプレイ）、２…ネットワーク、３…視点検出部、１０…第１画像表示部、２０…第２画像表示部、３０…投射部、４０…画像合成部、５０…表示制御部、６０…駆動部、１００…第１虚像表示面、１１０…重畳領域、２００…第２虚像表示面、２１０…重畳領域、３００…視点の位置、Ｇ…視点情報、Ｌ１…第１表示光、Ｌ２…第２表示光、Ｖ１…第１の虚像、Ｖ２…第２の虚像
【図１】
2017090464.tif 000003
【図２】
2017090464.tif 000004
【図３】
2017090464.tif 000005
【図４】
2017090464.tif 000006
【図５】
2017090464.tif 000007
【図６】
2017090464.tif 000008
【図７】
2017090464.tif 000009
【図８】
2017090464.tif 000010
【国際調査報告】
2017090464.tif 000011
2017090464.tif 000012
2017090464.tif 000013
2017090464.tif 000014